(57)【要約】【課題】  隣家の火災時の場合、高温の熱風が換気装置における排気側の排気排出口から侵入し、熱風が室内に侵入することを防止し、強風時にも、外気導入口及び排気排出口からの雨水、風雪等の浸入を防止する。【解決手段】  ウエザーカバー装置内部を、中央のダンパー部と、上方仕切部及び下方仕切部により給排気を仕切り、火災等の非常時には、羽根閉鎖強制板を連結したヒューズの溶断によってダンパー部のダンパー羽根を強制的に回動し、ダンパー羽根によって給気通口及び排気通口を閉鎖する。【選択図】  図１
2005147515.tif 000002
【特許請求の範囲】
【請求項１】
一対の側壁を有するフードトラップカバー（４１）及び給気口（Q）、排気口（R）を有する背面板（４２）を備えたケーシング部（４０）と、ケーシング部（４０）の内部を仕切って取り付け収容される上方仕切り部（２０）並びに下方仕切り部（３０）、及び上方仕切り部（２０）と下方仕切り部（３０）間に回転自在に支承される弁作用をするダンパー部（１０）とから構成され、上方仕切り部（２０）は、排気通口を有して前記排気口と連通する導通路を形成すると共に、給気口への案内をする導通路を形成するように仕切って取り付けられ、下方仕切り部（３０）は、給気通口を有して外気導入口から前記給気口へと連通すると共に、排出口への案内をするように仕切って取り付けられ、ダンパー部（１０）は、フードトラップカバー（４１）の一対の側壁（４４a）(４４b)に支持されるシャフト（１３）を有し、そのシャフトカバー（１２）が、対向配置された上方仕切り部（２０）に形成の凹溝（２２）と下方仕切り部（３０）に形成の凹溝（３２）の間に軸支され、前記給気通口（３３）を開閉するダンパー羽根（11a）及び前記排気通口（２３）を開閉するダンパー羽根（11b）を有し、ダンパー羽根（11a）の先端にバランサー（１４）を備えると共に、前記シャフト（１３）にフック（１６）により回動可能に支持され、かつ、ヒューズ（３６）及びバネ（３７）を介して第２仕切板（３０）へと付勢され、ダンパー羽根（11b）の一面に当接する羽根閉鎖強制板（１５）を備え、前記ダンパー部（１０）の上方に設置して給気と排気を仕切る上方仕切板（２０）を、上位仕切板（２１a）と、上位仕切板（２１a）との接合端部に円弧状凹溝（２２）を有して一体的に接続され、排気通口（２３）を有する下位仕切板（２１c）とにより構成し、前記ダンパー部（１０）の下方に設置して外気導入口（Ｎ）から給気通口（３３）への連通路と、排出口（P）への連通路を仕切る下方仕切り部（３０）を、給気通口（３３）を有する第一仕切板（３１a）と、ダンパー部（１０）のシャフトカバー（１２）を枢着する円弧状凹溝（３２）を有した端部で一体に接続された第二仕切板（３１b）と、羽根閉鎖強制板（１５）を下方仕切り部（３０）側に付勢するヒューズ（３６）及びばね（３７）を介在する空間を形成するための第二仕切板（３１ｂ）、第三仕切板(3１c）及び第四仕切板(３１d)と、装置内最下位に位置してドレンガイドを兼ねたフードトラップカバーと協働して外気導入口を形成すると共に、背面板と協働して排出口を形成する第五仕切板とによる五枚の仕切板で構成し、下方仕切り部（３０）によって仕切られた給気通口（３３）への連通路と、排出口（P）への連通路には、内面にドレン返しを形成し、ダンパー部（１０）のダンパー羽根は、常時はバランサー（１４）により給気通口（３３）及び排気通口（２３）を閉鎖し、換気運転時にはファンにより強制されて給気通口（３３）及び排気通口（２３）を開放し、換気運転時にあって、外部から強風が吹き込んだ際に、ダンパー羽根（１１b）における強風の受圧により給気通口（３３）及び排気通口（２３）を閉鎖するようになし、さらに、火災発生時にヒューズ（３６）の溶解によって給気通口（３３）及び排気通口（２３）の閉鎖可能としたことを特徴���するダンパーを内蔵したウエザーカバー装置。
【請求項２】
請求項１において、前記ダンパー部（１０）の上方に設置して給気と排気を仕切る上方仕切板（２０）を、上位仕切板（２１a）と、上位仕切板（２１a）との接合端部に円弧状凹溝（２２）を有して一体的に接続され、上位仕切板（２１a）とにより形成された空間部に吸音材(K)を充填した中位仕切板(２１ｂ）と、該中位仕切板（２１b）と中途で接合され、排気通口（２３）を有する下位仕切板（２１c）との三枚の仕切板により構成し、給気と排気を仕切る空間部に吸音材を備えたことを特徴とするダンパーを内蔵したウエザーカバー装置。
【請求項３】
請求項１又は２において、上方仕切板（２０）及び下方仕切板（３０）の側面に取り付けフランジを形成し、上方仕切板（２０）の取付けフランジ（２４）及び下方仕切板（３０）の取付けフランジ（３５）を介してケーシング部（４０）を構成するフードトラップカバー（４１）に着脱自在に取り付け可能としたことを特徴とするダンパーを内蔵したウエザーカバー装置。
【請求項４】
請求項１ないし３のいずれかにおいて、ダンパー部（１０）における一枚羽根中央部のシャフトカバー（１２）表面にフッ素樹脂をコーティングし、又は潤滑剤を塗布してなることを特徴とするダンパーを内蔵したウエザーカバー装置。
【請求項５】
請求項４において、仕切板におけるシャフトカバー（１２）部分を軸支する凹溝（２２）（３２）の表面にフッ素樹脂をコーティングし、又は潤滑剤を塗布してなることを特徴とするダンパーを内蔵したウエザーカバー装置。
【請求項６】
請求項１ないし５のいずれかにおいて、ダンパー部（１０）の下方に設置した下方仕切部（３０）において、給気と排気を仕切る第二仕切板の排気側側面に配設したダンパー羽根を強制的に押圧する羽根閉鎖強制板と連結するヒューズ（３６）が合成樹脂からなることを特徴とするダンパーを内蔵したウエザーカバー装置。  
【発明の詳細な説明】
【技術分野】
【０００１】
本発明は室内を給排気する空調換気装置の付帯設備として家屋の壁に設置されるウエザーカバー装置に関し、さらに詳しくは、ダンパーを内蔵したウエザーカバー装置に関する。
【背景技術】
【０００２】
建築基準法では、空調の給排気換気装置は一定基準に達していなければならない。しかし一定基準をクリアしていても不都合が生じたり、大きな災害を被ったりすることがあった。例えば、従来の給排気換気装置においては、給排気装置の休止中、貧弱な板状のシャッター等のみで建築物の屋外と遮断しているため、その建築物の隣接部から火災が発生した場合、火炎、熱風が侵入して延焼を引き起こすことがあった。また、台風などの強風の場合、シャッターが破壊され強風や雨水が室内まで入り込み、これが冷房あるいは暖房使用時に発生した時に、それらの効果を低下させるなどの不都合を生じていた。
【０００３】
また、従来のウエザーカバー装置には、防火の役目を果たす給排気用ダンパーが設置されていなかったので、隣接した家屋から火災が発生した場合、ウエザーカバー装置の換気口から熱風や煙が侵入し、思わぬ延焼の被害を被ることがあった。また、ウエザーカバー装置の換気口に備え付けてあるガラリ、シャッターなどが構造的、材質的に貧弱なため、強風雨時や冬期には雨、風、寒気が室内に侵入することがある。またウエザーカバー装置の運転中、ケーシング自体や給排気の仕切板が振動して騒音を発生するという問題や、装置内部の掃除、メンテナンス等を行う時、簡単に取外すことができないという不都合があった。
【発明の開示】
【発明が解決しようとする課題】
【０００４】
本発明は、上記課題を解決するために、ウエザーカバー装置に防火の役目を果たす給気・排気用ダンパーを設置することによって、隣接した家屋から火災が発生した場合には、ウエザーカバー装置の換気口から熱風や煙の侵入を防ぎ、延焼の被害を防止することである。また、ウエザーカバー装置の換気口に備え付けてあるガラリ、シャッターなどの構造的、材質的な改善を図ることによって、強風雨時や冬期においても、雨、風、寒気の室内への侵入を確実に防ぐことができるようにすることである。さらに、ウエザーカバー装置の運転中、ケーシング自体や給排気の仕切板が振動することのないように、振動を抑制する構造的な改善を施し、これによって、騒音を発生するという問題を解消することである。また、ウエザーカバー装置を分解可能で、簡単に取外すことのできる構造とすることによって、ウエザーカバー装置内部の掃除や、メンテナンス等を容易に行うことができるようにすることである。
【課題を解決するための手段】
【０００５】
本発明は、第一には、一対の側壁を有するフードトラップカバー（４１）及び給気口（Q）、排気口（R）を有する背面板（４２）を備えたケーシング部（４０）と、ケーシング部（４０）の内部を仕切って取り付け収容される上方仕切り部（２０）並びに下方仕切り部（３０）、及び上方仕切り部（２０）と下方仕切り部（３０）間に回転自在に支承される弁作用をするダンパー部（１０）とから構成され、上方仕切り部（２０）は、排気通口を有して前記排気口と連通する導通路を形成すると共に、給気口への案内をする導通路を形成するように仕切って取り付けられ、下方仕切り部（３０）は、給気通口を有して外気導入口から前記給気口へと連通すると共に、排出口への案内をするように仕切って取り付けられ、ダンパー部（１０）は、フードトラップカバー（４１）の一対の側壁（44a）(44b)に支持されるシャフト（１３）を有し、そのシャフトカバー（１２）が、対向配置された上方仕切り部（２０）に形成の凹溝（２２）と下方仕切り部（３０）に形成の凹溝（３２）の間に軸支され、前記給気通口（３３）を開閉するダンパー羽根（11a）及び前記排気通口（２３）を開閉するダンパー羽根（11b）を有し、ダンパー羽根（11a）の先端にバランサー（１４）を備えると共に、前記シャフト（１３）にフック（１６）により回動可能に支持され、かつ、ヒューズ（３６）及びバネ（３７）を介して第２仕切板（３０）へと付勢され、ダンパー羽根（11b）の一面に当接する羽根閉鎖強制板（１５）を備え、前記ダンパー部（１０）の上方に設置して給気と排気を仕切る上方仕切板（２０）を、上位仕切板（２１a）と、上位仕切板（２１a）との接合端部に円弧状凹溝（２２）を有して一体的に接続され、排気通口（２３）を有する下位仕切板（２１c）により構成し、前記ダンパー部（１０）の下方に設置して外気導入口（Ｎ）から給気通口（３３）への連通路と、排出口（P）への連通路を仕切る下方仕切り部（３０）を、給気通口（３３）を有する第一仕切板（３１a）と、ダンパー部（１０）のシャフトカバー（１２）を枢着する円弧状凹溝（３２）を有した端部で一体に接続された第二仕切板（３１b）と、羽根閉鎖強制板（１５）を下方仕切り部（３０）側に付勢するヒューズ（３６）及びばね（３７）を介在する空間を形成するための第二仕切板（３１ｂ）、第三仕切板(3１c）及び第四仕切板(３１d)と、装置内最下位に位置してドレンガイドを兼ねたフードトラップカバーと協働して外気導入口を形成すると共に、背面板と協働して排出口を形成する第五仕切板とによる五枚の仕切板で構成し、下方仕切り部（３０）によって仕切られた給気通口（３３）への連通路と、排出口（P）への連通路には、内面にドレン返しを形成し、ダンパー部（１０）のダンパー羽根は、常時はバランサー（１４）により給気通口（３３）及び排気通口（２３）を閉鎖し、換気運転時にはファンにより強制されて給気通口（３３）及び排気通口（２３）を開放し、換気運転時にあって、外部から強風が吹き込んだ際に、ダンパー羽根（１１b）における強風の受圧により給気通口（３３）及び排気通口（２３）を閉鎖するようになし、さらに、火災発生時にヒューズ（３６）の溶解によって給気通口（３３）及び排気通口（２３）の閉鎖可能としたことを特徴とするダンパーを内蔵したウエザーカバー装置を提供する。
【０００６】
また、本発明は、前記ダンパー部（１０）の上方に設置して給気と排気を仕切る上方仕切板（２０）を、上位仕切板（２１a）と、上位仕切板（２１a）との接合端部に円弧状凹溝（２２）を有して一体的に接続され、上位仕切板（２１a）とにより形成された空間部に吸音材(K)を充填した中位仕切板(２１ｂ）と、該中位仕切板（２１b）と中途で接合され、排気通口（２３）を有する下位仕切板（２１c）との三枚の仕切板により構成し、給気と排気を仕切る空間部に吸音材を備えたダンパーを内蔵したウエザーカバー装置を提供する。
【０００７】
さらに、本発明は、上方仕切板（２０）及び下方仕切板（３０）の側面に取り付けフランジを形成し、上方仕切板（２０）の取付けフランジ（２４）及び下方仕切板（３０）の取付けフランジ（３５）を介してケーシング部（４０）を構成するフードトラップカバー（４１）に着脱自在に取り付け可能としたダンパーを内蔵したウエザーカバー装置を提供する。
【０００８】
またさらに、本発明は、ダンパー部（１０）における一枚羽根中央部のシャフトカバー（１２）表面および／またはシャフトカバー（１２）部分を軸支する凹溝（２２）（３２）の表面にフッ素樹脂をコーティングし又は潤滑剤を塗布してなるダンパーを内蔵したウエザーカバー装置や、ダンパー部（１０）の下方に設置した下方仕切部（３０）において、給気と排気を仕切る第二仕切板の排気側側面に配設したダンパー羽根を強制的に押圧する羽根閉鎖強制板と連結するヒューズ（３６）を合成樹脂としたダンパーを内蔵したウエザーカバー装置をも提供する。
【発明の効果】
【０００９】
本発明は以上のような構成からなっているので以下のように示す効果を奏する。
ダンパー部にはバランサーを備えたダンパー羽根が有るので平常時は、給気側の通風口及び排気側の通風口を堅く塞いで外気導入口及び排気排出口からの冷気、雨水、風雪等をシャッタアウトし、室内に侵入するのを防止する。隣家の火災時の場合、高温の熱風が換気装置における排気側の排気排出口から侵入し、ダンパー支持板に連結したヒューズが溶断することによってダンパー支持板が強力にダンパー部のダンパー羽根を押し上げて給気側の通風口及び排気側の通風口を完全に塞いで閉状態にするため、熱風が室内に侵入することはない。
【００１０】
ダンパー部の上方に配置した上方仕切部において、最上位の仕切板と中位の仕切板との間の空間部に振動及び振動による騒音を吸収する吸収材を充填したので振動及び騒音を低減することができる。換気装置内部に装着する給排気の仕切部をケーシング部にネジ止めで装着するのでメンテナンス時に取り外しが簡単に行える。ダンパー部のシャフトを挿通したシャフトカバーの表面、またシャフトカバーと回動自在に枢着している仕切部の円弧状凹溝内面にフッ素樹脂あるいは潤滑剤をコーティングするので、ダンパー羽根のシャフトカバーはよりスムーズに回動できる。
【００１１】
メンテナンス時には、ケーシング部のフードトラップカバーに設けた数個の板バネ状の爪を背面板に設けた数個の取付け孔から引き抜くことにより背面板からフードトラップカバーを取り外すことが簡単に行える。またフードトラップカバー及び背面板の天頂部に蝶番を取付けて両者を結合すれば、必要時にフードトラップカバーの側板に備えた板バネ状の爪を背面板の取付け孔から引き抜くだけでフードトラップカバーと背面板を結合したままフードトラップカバーを開けた状態でメンテナンス作業行うことができるので保守管理の作業時間の短縮につながる。  
【発明を実施するための最良の形態】
【００１２】
上記目的を達成するために、本発明のダンパーを内蔵したウエザーカバー装置においては、装置内部中央にダンパー部と、ダンパー部の上位に上方仕切部とダンパー部の下位に下方仕切部とを備えて給排気を仕切り、これからダンパー部、上方仕切部、下方仕切部を覆うケーシング部で構成されている。
【００１３】
ダンパー部は一枚の板状体の中央部にシャフトを挿通するシャフトカバーを有し、そのシャフトカバーを境として左右に二枚のダンパー羽根を構成し、給気側に位置する羽根の端部にバランサーを固着している。シャフトカバーは上方仕切部及び下方仕切部を回動自在に支承された状態で取り付けをするので、その表面にはフッ素樹脂あるいは潤滑剤をコーティングしておく。またシャフトを挿入通したシャフトカバーの両外側に、このシャフトに掛けるフックを備えた羽根閉鎖強制板を有し、この羽根閉鎖強制板はダンパー羽根を強制的に上方へ押圧するものである。
【００１４】
上方仕切部は、給気と排気を仕切るもので、給気側となる最上位の仕切板と、中位の仕切板と、排気を導通する排気通風口を備えた最下位の仕切板との三枚の仕切板からなり、最上位仕切板と中位仕切板は一方端部すなわちダンパー部と接続する側で一体となり、その端部は仕切板の幅方向前面に前記ダンパー部のシャフトカバーと回動自在に枢着する円弧状凹溝を有する。一方端部で一体となった最上位仕切板と中位仕切板との間の空間部には仕切板の振動及びその振動による騒音を吸収する吸収材を充填する。排気の導通を行う排気通風口を備えた最下位仕切板は中位仕切板と中途で一体となっている。それら最上位、中位、最下位の仕切板三枚の全周には取付フランジを具備している。
【００１５】
このとき、騒音が大きな問題とならない場合には、一方端部で一体となった最上位仕切板（２１ａ）と中位仕切板（２１ｂ）との間の空間部に仕切板の振動及びその振動による騒音を吸収する吸音材Ｋを充填する必要がないので、上方仕切部（２０）は、給気側となる最上位仕切板（２１ａ）と、排気を導通する排気通風口（２３）を備えた最下位仕切板（２１ｃ）との二枚の仕切板からなり、中位仕切板（２１ｂ）を省略することができる。
【００１６】
下方仕切部は給気と排気を仕切るもので、給気を導通する給気通風口を備えた最上位の第一仕切板と他に四枚の仕切板である第二仕切板、第三仕切板、第四仕切板、第五仕切板からなり、最上位の第一仕切板と第二仕切板は一方端部すなわちダンパー部と接続する側で一体となり、前記上方仕切部と同様仕切板の幅方向前面にダンパー部のシャフトカバーを回動自在に枢着する円弧状凹溝を有する。第二仕切板の排気側には、火災等の非常時、給排気の通風口をダンパー羽根で強制的に閉鎖するためにこのダンパー羽根を強制的に押圧する羽根閉鎖強制板を備えている。この羽根閉鎖強制板には第三仕切板の排気側でバネおよびヒューズを介在させ金属線を固着し、金属線の他方端を第四仕切板の排気側に固着してある。第四仕切板の吸気側及び排気側にはドレン返しを数個設けている。これら五枚の仕切板の製作にあたっては、各仕切板を溶接により接合してもよいし、一枚の金属板を屈曲させたものでもよい。
【００１７】
前記ダンパー部、上方仕切部、下方仕切部を覆うケーシング部はドレンガイドを兼ねたフードトラップカバーと背面板からなる。フードトラップカバーの側板には、ダンパー部のシャフトカバーに挿通したシャフトを支持するブッシュの取付け用開孔が設けてあり、背面板と結合固着するためにその側板端部に数個の爪を具備している。背面板の上方部には室内と連通する給気開口及び排気開口を有し、その両側端部にはフードトラップカバーの側板端部に設けた爪と係合する取付け孔を数個設けてある。フードトラップカバーと背面板の天頂部には両者を枢着する蝶番を取付けて、必要時にフードトラップカバーを開閉できるようにしてもよい。
【００１８】
本装置は原則的に金属材料で製作するが高熱に耐えるものであれば合成樹脂でもよい。
上記のように構成されたウエザーカバー装置は、室内の給排気運動が開始されると、つまり本装置の作動時は、フードトラップカバーの下方の外気導入口より外気が導入されると、ダンパー部において、端部にバランサーを備えた一方のダンパー羽根はシャフトと、又シャフトカバーを介して上方仕切部及び下方仕切部と回動自在に枢着しているので導入された外気はダンパー羽根を押し上げ、上方仕切部の最上位仕切板の給気側側面に重なる位置まで移動する。この時、室内の空気の排気がケーシング部の背面板の排気開口により導入され他方のダンパー羽根は押し下げられ、下方仕切部第二仕切板の排気側に配接された羽根閉鎖強制板に重なる位置まで移動する。これによって下方仕切部と背面板によって形成された本装置の下方排気口より室内の汚れた空気は外部に排気される。
【００１９】
本装置の停止時は、ダンパー部における一方のダンパー羽根の端部に設けたバランサーがダンパー羽根に対して重量が大であるのでダンパー羽根は、上方仕切部の最下位仕切板及び下方仕切部の第一仕切板に重なって停止し、其々の通風口を閉状態にしている。これによって外部の冷気や雨風、風雪等は室内に侵入しない。
【００２０】
隣家の火災等で室外より炎や熱風が侵入した場合、下方仕切部において、第三仕切板の排気側に設けたヒューズが炎や熱風による高温で溶断し、第二仕切板の排気側に、この第二仕切板に強制バネを介して取付けた羽根閉鎖強制板が作動して、排気側のダンパー羽根を下から強力に押し上げるので上方仕切板部及び下方仕切部の通風口を堅く塞いで閉状態にする。この閉状態でさらに炎や熱風が外気導入口及び排気口から侵入してこれらを室内から遮断することができる。
【実施例】
【００２１】
発明の実施の形態を実施例に基づき図面を参照して説明する。
本装置の構成は、図２に示す如く、装置内部中央にダンパー部（１０）と、該ダンパー部の上位に上方仕切部（２０）と、該ダンパー部の下方に下方仕切部（３０）とを備え、さらに、これらを覆うケーシング部（４０）を包含する。ケーシング部（４０）は、フードトラップカバー（４１）と背面板（４２）からなる。
【００２２】
図１は本発明のウエザーカバー装置における作動状態を模式的に示すものである。
さらに図２（a）及び図３にも示されるように、ダンパー部（１０）は、一枚の板状体の中央部にシャフト（１３）を挿通する円筒状のシャフトカバー（１２）を有し、該シャフトカバー（１２）を境にして反対方向にダンパー羽根（１１ａ）、（１１ｂ）を備えて構成され、給気側に位置するダンパー羽根（１１ａ）の端部にバランサー（１４）を固着している。該バランサー（１４）はダンパー羽根に対して重量的に重い物体を用いる。シャフトカバー（１２）は上方仕切部（２０）及び下方仕切部（３０）に対し回動自在に枢着支持されるもので、該シャフトカバー（１２）の表面にはフッ素樹脂あるいは潤滑剤をコーティングしておく。一枚の板状体であるダンパー羽根の幅より広く、片方のダンパー羽根１１ｂの長さより短い板状体からなる羽根閉鎖強制板１５をダンパー羽根のシャフトカバー（１２）に挿通したシャフト（１３）に掛止する。この場合、前記シャフト（１３）に羽根閉鎖強制板（１５）を掛止するに際しては、該羽根閉鎖強制板の両先端部に設けたフック（１６）を用いで行い、シャフトカバー（１２）に挿通したシャフト（１３）に対しシャフトカバー（１２）の両端部の位置で掛止される。当該フック（１６）には、ダンパー羽根を、各通口を閉鎖方向する方向に付勢する強制バネ（Ｓ）が内蔵されている。
【００２３】
図３及び図１に上方仕切部２０を示す。前記ダンパー部（１０）の上方に配置した給気の仕切部である上方仕切部（２０）は、給気側となる最上位仕切板（２１ａ）と、中位仕切板（２１ｂ）と、排気を導通する排気通風口（２３）を備えた最下位仕切板（２１ｃ）との三枚の仕切板からなる。前記最上位仕切板（２１a）と該中位仕切板(21ｂ)は一方端部で一体となり、その端部には仕切板の幅方向全面に前記ダンパー部（１０）のシャフトカバー（１２）を回動自在に枢着する円弧状凹溝（２２）を有する。一方端部で一体となった最上位仕切板（２１ａ）と中位仕切板（２１ｂ）との間の空間部には仕切板の振動及びその振動による騒音を吸収する吸音材Ｋを充填する。排気通風口を備えた該最下位仕切板２１ｃは該中位仕切板（２１ｂ）と中途で一体となっている。また、これら最上位、中位、最下位の仕切板三枚の全周には取付フランジ（２４）を具備している。
【００２４】
図３に下方仕切部３０が示される。図１に示す前記ダンパー部（１０）の下方に配置した給排気の仕切部材としての作用を有する下方仕切部（３０）は、給気通口（３３）を備えた最上位の第一仕切板（３１ａ）と他に四枚の仕切板である第二仕切板（３１ｂ）、第三仕切板（３１ｃ）、第四仕切板（３１ｄ）及び第五仕切板（３１ｅ）とから構成される。最上位の該第一仕切板（３１a）と該第二仕切板（３１b）は一方端部で一体となり前記ダンパー部（１０）のシャフトカバー（１２）を回動自在に枢着する円弧状凹溝（３２）を有する。該第二仕切板（３１ｂ）の排気側側面には、火災等の非常時、前記上方仕切部（２０）の排気通口（２３）をダンパー部（１０）のダンパー羽根（１１ｂ）により強制的に閉鎖する羽根閉鎖強制板１５を備えている。図１に示すように、当該羽根閉鎖強制板（１５）には前記第三仕切板（３１ｃ）の排気側でバネ（３７）及びヒューズ（３６）を介在させた金属線の一端を固着し、金属線の他方端を該第四仕切板（３１ｄ）の排気側面に固着してある。第四仕切板（３１d）の給気側及び排気側の各面にはドレン返し（３４）、（３８）を適宜数、複数個設けている。これら五枚の仕切板の周縁適所に取付フランジ（３５）を具備している。製作にあたっては、各仕切板を溶接により接合してもよいし、一枚の板状体を屈曲させて作ってもよい。
【００２５】
図２（a）には、装置内部に配置したダンパー部（１０）、上方仕切部（２０）、下方仕切部（３０）を覆うケーシング部（４０）が示される。ケーシング部(４０)はフードトラップカバー(４１)と背面板(４２)からなる。このフードトラップカバー（４１）は前面板（４３）と側板（４４ａ）、（４４ｂ）からなり、ドレンガイドを兼ねる。前面板（４３）は上方部を湾曲させ下方部を該側板より短くし、前面板の幅方向全面に渡って開口して外気を導入する外気導入口（N)を形成し、また前記前面板（４３）の内側下方部にはドレン返し（４５）を複数段設けている。一方、前記側板（４４ａ）及び（４４ｂ）にはダンパー部（１０）のシャフトカバー（１２）に挿通したシャフト（１３）を支持固定するブッシュ（５０ａ）、（５０ｂ）の取付け用開孔（４６ａ）、（４６ｂ）が設けてある。また側板（４４ａ）及び（４４ｂ）にはその内部端部に数個の爪（４７ａ）を具備すると共に、背面板（４２）には、その両側端部に取付け孔（４７ｂ）が数個設けてあるので、取付け孔（４７ｂ）をフードトラップカバー（４１）の爪（４７a）と係合すれば簡単に取り付けることができる。背面板（４２）の上方部に室内と連通する給気開口（Ｑ）及び排気開口（Ｒ）を有し、また該背面板（４２）下方部には数個のドレン返し（４８）を数段に設けている。なお本装置はケーシング部（４０）と上方仕切部（２０）及び下方仕切部（３０）によって構成されているので、装置の最下端部が開口していて外気導入口（N）と排出口（Ｐ）を形成している。
【００２６】
次に本装置の組立て及び取付けについて述べる。図２において、ケーシング部（４０）の背面板（４２）を家屋の壁に取付け、図３に示した上方仕切部（２０）の仕切板（２１ａ）と仕切板（２１ｂ）の空間部に吸音材（Ｋ）を充填し、仕切板（２１ａ）、（２１ｂ）、（２１ｃ）の取付フランジ（２４）を該側面板（４４a）、（４４ｂ）にネジ止めし、また、上方仕切部（２０）を背面板（４２）に取付ける。この場合吸音材（K）としては無機、合成樹脂の繊維状物等を充分に詰め込む。次に図３に示した下方仕切部（３０）の第一仕切板（３１ａ）の取付フランジ（３５）を図２に示すフードトラップカバー（４１）の前面板（４３）にネジ止めすることによって下方仕切部（３０）をフードトラップカバー（４１）に取付ける。この後、フードトラップカバー（４１）に取付けた下方仕切部（３０）の円弧状凹溝（３２）に、予めシャフト（１３）をダンパー羽根及び羽根閉鎖強制板に押通してダンパー部（１０）を組立てておいた、そのダンパー部（１０）のシャフトカバー（１２）を乗せた状態で、前述した背面板（４２）に取付けた上方仕切部（２０）の円弧状凹溝（２２）を前記シャフトカバー（１２）に適合して合体させる。この時ダンパー部（１０）のシャフト（１３）はフードトラップカバー（４１）の側板（４４ａ）、（４４ｂ）の開孔（４６ａ）、（４６ｂ）に挿入しておく。そしてフードトラップカバー（４１）の側板側板（４４ａ）、（４４ｂ）に設けた数個の爪（４７ａ）を背面板（４２）に設けた数個の取付け孔（４７ｂ）に挿入し、これによってフードトラップカバー（４１）と背面板（４２）を合体させる。爪（４７ａ）は板バネ状に形成してあるので簡単に取付け孔（４７ｂ）へ取付けることができ、かつ強固に装着できる。最後に上方仕切部（２０）の仕切板のフランジ及び下方仕切部（３０）の仕切板のフランジのそれぞれにフードトラップカバー（４１）の側板（４４ａ）、（４４ｂ）の外側からネジ止めし、側板の開孔に挿入したシャフトの両端部にブッシュ（５０ａ）、（５０ｂ）を嵌着させることによって組立てを完了する。
【００２７】
次に作用について述べる。本発明における装置の停止時の状態を図１（a）に示す。このとき、給気開口（Q）に接続されたファン（F1）及び排気開口（R）に接続されたファン（F2）のいずれも運転されていない。そして、ダンパー部（１０）のシャフトカバー（１２）を境にして一方のダンパー羽根（１１ａ）の端部にバランサー（１４）を設けているため、シャフト（１３）を支点にしてダンパー羽根（１１ａ）がダンパー羽根（１１ｂ）側より重量が大きいので、図面左回転方向に回動し、これによって、下方仕切部（３０）の給気通口（３３）及び上方仕切部２０の排気通口（２３）を塞ぐ状態に保持され、常に外部の冷気や雨水は室内に侵入してくることはなくなる。
【００２８】
本装置の作動時を図１（b）に示す。給気開口（Q）に接続されたファン（F1）及び排気開口（R）に接続されたファン（F2）の両者を運転することによって、室内の給排気運動が開始されると、上方仕切部（２０）、下方仕切部（３０）を境にして給気側（Ａ）部分は負圧となり、他方、排気側（Ｂ）部分は陽圧となり、この圧力作用によってダンパー部（１０）のダンパー羽根（１１ａ）、（１１ｂ）は開状態になる。これによって外気は、図中白矢印で示すように、外気導入口（N）から進入して移動し、給気通口（３３）を通って給気開口（Ｑ）から室内に給気される。一方、室内の汚れた空気の排気は、図中黒矢印で示すように、排気開口（Ｒ）から導入され、図のように移動し、排気通口（２３）を通って排出口（Ｐ）から装置外部に排出される。
【００２９】
隣家の火災による熱風により、ダンパー部（１０）の羽根閉鎖強制板（１５）が作動した場合を説明する。このときの停止時の状態は図１（a）に示すように、ヒューズ（３６）及びバネ（３７）を連結した羽根閉鎖強制板（１５）は、下方仕切部（３０）における仕切板（３１ｂ）の排気側側面に接し重なって配設されている。火災による熱風が装置下端開口部である排出口（Ｐ）より侵入してきた時、図４に示すように、７０〜８０℃程度の熱風によりヒューズ（３６）が溶断し、羽根閉鎖強制板（１５）は内蔵された強制バネ（Ｓ）によって強力に上方へ押し上げられ、ダンパー部（１０）のダンパー羽根（１１ｂ）を上方に押圧する。これによって下方仕切部（３０）の給気通口（３３）及び上方仕切部（２０）の排気通口（２３）をダンパー羽根（１１ａ）、（１１ｂ）が堅く塞いで閉状態になる。そこで熱風はダンパー羽根（１１ａ）、（１１ｂ）でシャッタアウトされ、室内に侵入することは回避される。高温溶断材料として使用するヒューズは、電気回路で用いるものと同じＰｂ、Ｓｎ、Ｂｉ、Ｃｄの合金からなるヒューズを使用した。ヒューズの溶断材料として合成樹脂を使用してもよい。
【００３０】
掃除、修理のメンテナンス時には、図２に示すように、装置内部のダンパー部、仕切部は破線で示され、フードトラップカバー（４１）において側板（４４ａ）、（４４ｂ）の内側端部に設けた数個の板バネ状の爪（４７ａ）を背面板（４２）の端部に設けた数個の取付け孔（４７ｂ）から引き抜くことにより背面板（４２）からフードトラップカバー(41)を取り外して行う。また図２(ｂ)に示す如く、フードトラップカバー（４１）及び背面板（４２）の天頂部に蝶番（５１）を取付けて両者を結合し、必要時にフードトラップカバー（４１）の側板の爪（４７a）を背面板（４２）の取付け孔（４７b）から引き抜くだけでフードトラップカバー（４１）と背面板（４２）を結合したまま、メンテナンスを行うこともできる。
【図面の簡単な説明】
【００３１】
【図１】本発明のウエザーカバー装置におけるダンパー部の作動状態を示す模式的断面図であり、（a）は、ウエザーカバー装置停止時の模式的断面図であり、（b）は、ウエザーカバー装置作動時の縦断面模式図である。
【図２】本発明のウエザーカバー装置におけるケーシング部の構造を示す模式図であり、（a）はケーシング部のフードトラップカバーと背面板との取付け状態から、取り外し分離した状態を模式的に示すと共に、併せて、ダンパー部、上方仕切部、下方仕切部の取り付け状態を示す斜視図であり、（b）はケーシング部におけるフードトラップカバーと背面板とを開閉自在に一端で結合した状態で、フードトラップカバーを開けた時の斜視図である。
【図３】本発明のウエザーカバー装置におけるケーシング部内に取り付けられる上方仕切部、ダンパー部及び下方仕切部のそれぞれを取り付け方向に分解して分離した状態を模式的に示した斜視図である。
【図４】本発明のウエザーカバー装置の使用上で、ヒューズが溶断した非常時におけるウエザーカバー装置のダンパー部緊急作動状態を示す縦断面模式図である。
【符号の説明】
【００３２】
１０  ダンパー部
１１ａ、１１ｂ  ダンパー羽根
１２  シャフトカバー
１３  シャフト
１４  バランサー
１５  羽根閉鎖強制板
１６  フック
２０  上方仕切部
２１ａ  最上位仕切板
２１ｂ  中位仕切板
２１ｃ  最下位仕切板
２２  円弧状凹溝
２３  排気通風口
２４  取付けフランジ
３０  下方仕切部
３１ａ  第一仕切板
３１ｂ  第二仕切板
３１ｃ  第三仕切板
３１ｄ  第四仕切板
３１ｅ  第五仕切板
３２  円弧状凹溝
３３  給気通風口
３４  ドレン返し
３５  取付けフランジ
３６  ヒューズ
３７  バネ
３８  ドレン返し
４０  ケーシング部
４１  フードトラップカバー
４２  背面板
４３  前面板
４４ａ、４４ｂ  側板
４５  ドレン返し
４６ａ、４６ｂ  開孔
４７ａ  爪
４７ｂ  取付け孔
４８  ドレン返し
５０ａ、５０ｂ  ブッシュ
５１  蝶番
Ｋ  吸収材
N  外気導入口
Ｐ  排出口
Ｑ  給気開口
Ｒ  排気開口
Ｓ  強制バネ
【図１】
2005147515.tif 000003
【図２】
2005147515.tif 000004
【図３】
2005147515.tif 000005
【図４】
2005147515.tif 000006